(57)【要約】      （修正有）【課題】座面が低く安定で、被介護者を座らせたまま安心させて階段の降下搬送を行う移動器具を提供する。【解決手段】座枠１と、その座枠１に対しＶ字状になる背もたれ枠２と、座枠１が接地しているときは浮いた状態になり、背もたれ枠２を引き倒したとき接地するように背もたれ枠２に取り付けられた車軸３による車輪３３と、階段降下に際しては階段踏み板の角を滑らせて降下できる滑走部１１１を座枠底面に設ける。座枠１の底面を滑走部１１１とし、更には座枠１には座面シート１１、背もたれ枠２にも背もたれシート２２を持たせ、座枠１と背もたれ枠２は折りたたみ式とし、座枠１の中程と背もたれ枠２には中折れ可能バー６で支え、背もたれ枠２には後方転倒防止バー５を持つ。【選択図】図１
2010063593.tif 000002
【特許請求の範囲】
【請求項１】
座枠と、その座枠に対して側面Ｖ字状になる背もたれ枠と、座枠が接地しているとき浮いた状態にあり背もたれ枠を引き倒したとき接地するように背もたれ枠に取り付けられた車軸による車輪を有し、前記座枠は階段降下に際して当該座枠で階段を跨ぎ踏み板の角を滑らせて降下するように構成されていることを特徴とするＶ形移動器具。
【請求項２】
前記座枠の底面が滑走部となっていることを特徴とする前記請求項１記載のＶ形移動器具。
【請求項３】
前記座枠には先端と先端の上面、後端と後端の上面を繋ぎシートを貼り座面シートとし、前記背もたれ枠にシートを貼り背もたれシートとし、前記座枠と前記背もたれ枠は折りたためるようヒンジで接続されていることを特徴とする前記請求項１記載のＶ形移動器具。
【請求項４】
前記座枠の中程と前記背もたれ枠の中程を中折れ可能バーで繋ぐこととし、前記背もたれ枠には後方転倒防止バーを設けたことを特徴とする前記請求項１記載のＶ形移動器具。
【請求項５】
前記座枠と前記背もたれ枠のそれぞれの複数箇所に身体固定ベルトを有したことを特徴とする前記請求項１記載のＶ形移動器具。
【発明の詳細な説明】
【技術分野】
【０００１】
本発明は被介護者の移動搬送を目的とし、特に階段の降下を行うＶ形移動器具に関する。
【背景技術】
【０００２】
現在、家庭でも歩行困難者の介護をしている場合があり、この家庭介護で一番の問題は、家の中での移動である。また、２階以上の医療施設、福祉施設では歩行困難者の平坦地の移動にはストレッチャー又は車椅子で行い、上下の移動はエレベータを使用している。しかし火災、地震等の緊急事態が発生した場合、エレベータは使用できないので階段を使用するしかない。この場合、階段はストレッチャー、車椅子は使用できないので原始的な背負って下りる、又は担架に乗せ人力で持ち上げて移動、或いはマットに乗せて四隅を持った人々が階段を引きずり下ろす方法しかない。これらの方法は緊急を要する避難行動では他の人の避難を阻害する上、救助の際に複数の人手を要することになり非効率的である。この問題解決のため近年、歩行困難者の脱出用避難器具が提案され販売されている。  
例えば、階段避難用坐式降下器具は、坐したままただ一人の介護者の手押し推進力で降下することが出来るものである。この例では平坦面移動時には前輪と後輪が接地し、階段降下時には後輪が台枠内に収納されてキャタピラが階段の踏み板の先端と接触する構造を特徴としたものである（特許文献１参照）。
【特許文献１】特開２００７−２１０５２５号公報
【発明の開示】
【発明が解決しようとする課題】
【０００３】
しかしながらキャタピラの使用は構造を複雑にするだけでなく搭載者の重量でキャタピラの張力調整を必要とし煩雑な上、座面が高くなり不安定で安全性を損なう。またもっとも重要なことは、被介護者を座らせたまま前向きに搬送するので、階段の降下では被介護者に階段から落ちるような恐怖心をあおることになる。介護者が階段の上段にいることとなるのも、頼る人が見える場所にいないということで不安を募らせることとなる。
【課題を解決するための手段】
【０００４】
本発明は、座枠と、その座枠に対しＶ字状になる背もたれ枠と、座枠が接地しているときは浮いた状態になり、背もたれ枠を引き倒したとき接地するように背もたれ枠に取り付けられた車軸による車輪と、階段降下に際しては階段を跨ぎ踏み板の角を滑らせて降下できる滑走部を座枠底面に有したものである。
そして好ましくは座枠の底面を滑走部とし、更には座枠には先端と先端の上面、後端と後端の上面を繋ぎシートを貼り座面シートとし、背もたれ枠にシートを貼り背もたれシートとし、座枠と背もたれ枠は折りたためるようヒンジで接続されている。更には座枠の中程と背もたれ枠中程をバーで繋ぎ中折れ可能バーとし、背もたれ枠には後方転倒防止バーを持つ。また座枠と背もたれ枠の複数箇所には身体固定ベルトを有している。
【発明の効果】
【０００５】
本発明は前記のように座枠とその座枠に対し側面Ｖ字状となる背もたれ枠を持ち、座枠底面の滑走部が階段を跨ぎ踏み板の角を滑らせて降下でき、被介護者は後ろ向きに移動搬送され進行方向の先に介護者が位置することになるので恐怖心を持たせず、また階段から踊り場、平坦面に達したときははじめに車輪が床面に着くので一人の介助者であっても円滑に移動搬送が行える。
また、座面が低床に構成でき、座枠の底面が滑走部となっているので複雑な構造となることなく安定して階段の移動搬送が可能となり、座面や背もたれがシート構成の場合には被介護者の移動や落ち着きがスムーズに行われ、中折れ可能バーや後方転倒防止バーあるいは身体固定ベルトにより安全性が高まり、更には座枠と背もたれ枠はヒンジで接続されており使用しないときには折りたたみ収納ができ便利である。
【発明を実施するための最良の形態】
【０００６】
本発明のＶ形移動器具は、好ましくは被介護者の下肢を伸展させる事が可能な長さの座枠と、上半身を保持可能な長さを持つ背もたれ枠と、座枠と背もたれ枠をヒンジと中折れ可能バーで繋ぎ、背もたれ枠下部の両側に車軸を備え、座枠が接地しているとき車輪は浮いた状態にある。また座枠、背もたれ枠の数カ所には身体固定ベルトを備え移動時の身体のずれを防止し、背もたれ枠の後ろ側には、搭載時に背もたれが後方に転倒することを防止する後方転倒防止バーで安全を確保する。
階段の降下では座枠底面が滑走部となっており、被介護者の体重とＶ形移動器具の自重を利用し、階段を跨ぎ踏み板の角を使用して滑り降り移動が可能である。座面は戸外に脱出することを考慮すれば地面から離すことが好適である。
【実施例】
【０００７】
図１は本発明実施例を説明する側面図で、図２は座面が水平位での車輪の状態を示す説明図で、図３は本発明実施例の正面図である。図１と図２と図３で示しているが本発明器具にはブレーキは構成されていないので、被介護者を本発明器具に乗せるとき、又はこれから下ろすとき被介護者の動きと器具が一緒に動かさないためにも座枠が水平位にあるとき車輪は浮いた状態にあることが必要である。図４と図５は階段降下時の搬送の状態を示す説明図であるが、特に図５は階段から床面になるとき車輪が最初に接地することを説明している。図６は平坦地、スロープの移動搬送の状態を示す説明図であり、図７は折りたたんだ状態を示す説明図である。
これらの図において、座枠１は金属性パイプをロ字状、又はＯ字状で骨格を構成してある。その座枠１には先端と先端の上面、後端と後端の上面を繋ぎ、シートを貼って構成する座面シート１１が設けてある。また座枠１の底面の滑走部１１１は階段の降下に際し、階段の角を使用するので、滑りやすく傷の付きにくいものという意味で金属パイプが被覆されていれば好ましい。また座枠１の長さは、被介護者が座れればいいものの、下肢が伸展出来る長さ１２０ｃｍあれば階段を降下する際、複数の階段を跨ぐので安定性が向上する。座面１１は、戸外でも使用することを考慮すれば、搬送中に床の起伏や階段の状態が身体に直接伝わり不快な感じを与えないためには、地面から離すことが好ましい。従って、座面１の底面側はそり又はスキーのような滑走部１１１を構成すると良い。
【０００８】
背もたれ枠２は、座枠１に対し側面Ｖ字状になるように設置され、ロ字状又はＯ字状の金属パイプで構成し、シートを張って背もたれシート２２とする。背もたれ枠２の長さは、上半身を保持できる長さ１２０ｃｍあれば、被介護者は安心して身をゆだねることが出来し介護者が腰をかがめることなく操作でき負担が少ない。しかし、家庭での使用では横幅も狭く曲がった階段がある場合、膝を曲げることが可能で、上半身が自律可能ならば、多少不安定にはなるが、座枠１、背もたれ枠２のどちらか又は両方を短く構成して使用することも可能である。しかし、背もたれ枠３を短くした場合、介護者は腰をかがめて操作しなければならないし引き倒す力も増え介護者に負担がかかる。背もたれ枠３を短くする場合は背もたれ枠３に伸縮可能な握手もしくは簡単な背もたれ枠３の延長機構（図示せず）を取り付けてもよい。 座枠１及び背もたれ枠２の横幅は車椅子と同程度４０〜５０ｃｍあればよい。座枠１と背もたれ枠２のなす角度は、９０〜１２０度程度で使用することが望ましい。しかしそれに限られるものではないが、その角度を超えて広げた状態で階段を降下する場合、階段の角度によっては頭の位置が水平から下がる場合があり、被介護者に苦痛を与えることとなる。
【０００９】
車輪３３の直径は小さければ背もたれ枠２に取り付ける車軸３の位置は低くなり、引き倒す力は少なくて済むが段差越えが難しく、直径が大きければ背もたれ枠２に取り付ける車軸３の位置は高くなり、引き倒す力は増すが段差越えは容易に行える。座枠１と背もたれ枠２のなす角度、及び車輪３３の直径で背もたれ枠２に車軸３の取り付けられる位置を変化させなければならない。車輪３３の直径は３０ｃｍから６０ｃｍ程度が望ましい。しかしそれに限られるものではないが、直径が小さくなると床面の起伏に車輪３３がとられやすく移動しにくくなるが、重心が下がり前後の均衡はとり易い。また直径が大きくなると背もたれ枠２に車軸３の取り付ける位置が高くなり、引き倒す力が増えるだけでなく重心が高くなり前後の均衡を保つことが難しくなるが、床面に多少の起伏があっても移動は容易に行われる。
車輪３３の太さは、直径が３０ｃｍ程度の場合、床面の起伏に車輪３３がとられやすく移動操作に力を必要とし、床面の起伏の衝撃が被介護者に伝わり不快感をあたえることとなる。不快感を与えず操作しやすくするためには５ｃｍ程度の太い物が望ましい。車輪３３の直径が６０ｃｍ程度の場合、車輪３３の太さは３ｃｍ程度あれば衝撃も少なく操作性も安定する。また車輪３３は戸外の起伏ある場所での使用を考慮すれば衝撃を柔らかく吸収するチューブ入りが被介護者に与える衝撃は少なく乗り心地は良くなる。しかし使用する環境によりこれに限ったものではない。
【００１０】
後方転倒防止バー５は背もたれ枠２に対し９０度以上開放せず、任意の角度で止められることが望ましい。これは被介護者を本発明器具に乗せたり、これから下ろしたりする時、本器具が動くのを止め、また本発明器具に被介護者を乗せたままで介護者が離れる場合、被介護者が体重を後方にもたせかけたとき後方に転倒することを防止する役目をする。後方転倒防止バー５が背もたれ枠２に取り付けられる位置は、背もたれ枠２の中程から上方に有れば器具が安定する。
中折れ可能バー６は、座枠１と背もたれ枠２の中程を繋ぐバーであるが、その長さを伸縮させ座枠１と背もたれ枠２のなす角度を変化させるためと、背もたれ枠２を引き倒し座枠１を浮かせたとき座枠１と背もたれ枠２を繋ぐヒンジ４を保護する役目も果たすものでもある。中折れ可能バー６の伸縮に併せて背もたれ枠２に取り付けられた車軸３の位置も変える事が必要となるので簡便な連動機構（図示せず）を装着してもよい。
身体固定ベルト７は移動に際して主に脇下、腰、膝の位置を固定するが被介護者の状態では上肢又は下肢の左右を別々に固定する場合もあり、枕を使用し頭部の固定を必要とする場合もある。被介護者の身体のずれを防止し安全を確保するが、ベルトの素材は、止める長さが自由になる面ファスナーを持ったものが好適である。
【００１１】
上述のように背もたれ枠２を引き倒し座枠１を浮かせて階段を滑らせて搬送するが、急傾斜の階段で勢いがついて降下速度が上がり、降下速度を下げたい場合は、背もたれ枠２をより引き倒すことで車輪３３が踏み板を通過した後、座枠１が踏み板に当たり一旦停止状態となるので速度を下げることが可能である。この場合でも、座枠１は階段の踏み板のエッジにかかる程度なので、被介護者に大きな衝撃を与えることにならず、搬送者の操作もきわめて容易である。
【００１２】
上述のように座枠１には先端と先端の上面、後端と後端の上面を繋ぎシートを貼り座面シート１１とし、シートの材質は板でもかまわないが、車輪３３しか床面の起伏による衝撃を受けるものがなく、また被介護者をこの器具に搭載するとき座位にして背もたれ枠２に背中を密着させなければならないことを考慮すれば、車椅子に使用されているような滑りやすく防湿加工した布、もしくはそれにウレタン等を挟んだものであれば乗り心地もよく搭載しやすくなる。背もたれ枠２にもシートを貼り背もたれシート２２とするが、このシートも座面シート１１と同じく加工されたものが好適である。
座枠１と背もたれ枠２は折りたためるようにヒンジ４で接続されている。これにより使用しないときは折りたたんで廊下の隅などに収納できる。
【産業上の利用可能性】
【００１３】
本発明のＶ形移動器具は軽量、簡便で折りたたみが可能で、医療施設、福祉施設、家庭において、歩行困難な被介護者を半座位のまま平坦地、スロープは車輪を支点としたＶ字形で移動搬送ができ、階段では座枠低面の滑走部を使用し階段を跨ぎ一人の介護者で被介護者に恐怖感を与えないで後方に降下し安全に移動搬送が行える。
【図面の簡単な説明】
【００１４】
【図１】本発明のＶ形移動用具の側面図を示す説明図である。
【図２】座面が水平位での車輪の状態を示す説明図である。
【図３】本発明のＶ形移動器具の正面図である。
【図４】階段を降下する時を示す説明図である。
【図５】階段を降下し車輪が接地する時を示す説明図である。
【図６】平坦地、スロープの移動状態を示す説明図である。
【図７】本発明のＶ形移動用具を折りたたんだ状態を示す説明図である。
【符号の説明】
【００１５】
１  座枠
１１  座面シート
１１１  滑走部
２  背もたれ枠
２２  背もたれシート
３  車軸
３３  車輪
４  ヒンジ
５  後方転倒防止バー
５４  後方転倒防止バーヒンジ
６  中折れ可能バー
６４  中折れ可能バーヒンジ
６６４  中折れ可能バー中間ヒンジ
７  身体固定ベルト
【図１】
2010063593.tif 000003
【図２】
2010063593.tif 000004
【図３】
2010063593.tif 000005
【図４】
2010063593.tif 000006
【図５】
2010063593.tif 000007
【図６】
2010063593.tif 000008
【図７】
2010063593.tif 000009